【手続補正書】
【提出日】平成22年8月6日(2010.8.6)
【手続補正１】
【補正対象書類名】明細書
【補正対象項目名】発明の名称
【補正方法】変更
【補正の内容】
【発明の名称】遊技機
【手続補正２】
【補正対象書類名】明細書
【補正対象項目名】０００１
【補正方法】変更
【補正の内容】
【０００１】
本発明は、遊技機に関する。
【手続補正３】
【補正対象書類名】明細書
【補正対象項目名】０００２
【補正方法】変更
【補正の内容】
【０００２】
現在、パチンコ機やスロットマシーンなどの遊技機には、基板上に電子部品や接続用のコネクタなどを取り付けた制御基板を収容する基板ボックスが設置されている。従来の基板ボックスは、制御基板のコネクタに中継ケーブルのコネクタを接続してその中継ケーブルを基板ボックスの側面から引き出すようにしていた。
【手続補正４】
【補正対象書類名】明細書
【補正対象項目名】０００３
【補正方法】変更
【補正の内容】
【０００３】
通常、基板ボックスは封印シールなどで封印処理されていて基板ボックスが容易に開放できない。一方、基板ボックスを開放しないと中継ケーブルのコネクタが抜き差しできない。
【手続補正５】
【補正対象書類名】明細書
【補正対象項目名】０００４
【補正方法】変更
【補正の内容】
【０００４】
本発明は、上記に鑑みなされたもので、その目的は、基板ボックスを開放しなくても中継ケーブルの着脱が行えるようにすることにある。
【手続補正６】
【補正対象書類名】明細書
【補正対象項目名】０００５
【補正方法】変更
【補正の内容】
【０００５】
上記の目的を達成するために請求項１記載の遊技機は、基板ボックスの構成部材の一部である第１部材と、該第１部材と係合して前記基板ボックスを構成する第２部材と、前記基板ボックス内に収容される略長方形の制御基板と、を備えるものであって、前記制御基板は少なくとも、該制御基板上に複数の電子部品を配設した電子部品配設領域と、前記制御基板の長辺側に複数のコネクタを並べて配設したコネクタ配設領域と、を備え、前記第２部材は、前記基板ボックスによって前記制御基板全体を収容した際に前記電子部品配設領域と対向する上側板部と、該上側板部から前記第１部材側に延設される周側部と、第２はめ合せ部と、を備え、前記第１部材は、前記第２はめ合せ部に対応する第１はめ合せ部と、前記コネクタ配設領域が形成される前記制御基板の長辺側に対応して設けられるリブと、を備え、前記基板ボックスは、前記第２部材の前記第２はめ合せ部と、前記第１部材の前記第１はめ合せ部と、をはめ合わせた後に、前記制御基板全体を収容した状態で前記第２部材と前記第１部材とを封印するものであり、前記第２部材の周側部のうち前記コネクタ配設領域に対応した周側部を仕切り用周側部とし、該仕切り用周側部は、前記基板ボックスに前記制御基板全体を収容した際に前記電子部品配設領域と前記コネクタ配設領域とを区分するように前記上側板部から前記制御基板側に延設された仕切り部と、前記コネクタ配設領域の基板面を覆うカバー部と、該カバー部の前記複数のコネクタと対応する位置に、コネクタの外形にほぼ合致する形状に形成された複数の挿通口と、を備え、前記基板ボックスは、前記制御基板の前記複数のコネクタを、前記複数の挿通口を介して前記カバー部より外側に突出させるようにするものであり、前記制御基板は、該制御基板に配設された前記複数のコネクタの端側のコネクタである第１コネクタと、該第１コネクタの隣に配設された第２コネクタと、を備え、前記基板ボックスは、前記第１コネクタを基準とした場合に、該第１コネクタから前記第２コネクタに向かう方向と反対の方向に、壁部を備える。
請求項２記載の遊技機は、請求項１記載の遊技機において、前記壁部は、並んで配設された複数のコネクタの少なくとも片側の端側に設けられている。
請求項３記載の遊技機は、請求項１記載の遊技機において、前記壁部は、並んで配設された複数のコネクタの両側の端側に設けられている。
【手続補正７】
【補正対象書類名】明細書
【補正対象項目名】０００６
【補正方法】削除
【補正の内容】
【手続補正８】
【補正対象書類名】明細書
【補正対象項目名】０００７
【補正方法】変更
【補正の内容】
【０００７】
本発明の遊技機によれば、基板ボックスの構成部材の一部である第１部材と、該第１部材と係合して前記基板ボックスを構成する第２部材と、前記基板ボックス内に収容される略長方形の制御基板と、を備え、前記制御基板は少なくとも、該制御基板上に複数の電子部品を配設した電子部品配設領域と、前記制御基板の長辺側に複数のコネクタを並べて配設したコネクタ配設領域と、を備え、前記第２部材は、前記基板ボックスによって前記制御基板全体を収容した際に前記電子部品配設領域と対向する上側板部と、該上側板部から前記第１部材側に延設される周側部と、第２はめ合せ部と、を備え、前記第１部材は、前記第２はめ合せ部に対応する第１はめ合せ部と、前記コネクタ配設領域が形成される前記制御基板の長辺側に対応して設けられるリブと、を備え、前記基板ボックスは、前記第２部材の前記第２はめ合せ部と、前記第１部材の前記第１はめ合せ部と、をはめ合わせた後に、前記制御基板全体を収容した状態で前記第２部材と前記第１部材とを封印するものであり、前記第２部材の周側部のうち前記コネクタ配設領域に対応した周側部を仕切り用周側部とし、該仕切り用周側部は、前記基板ボックスに前記制御基板全体を収容した際に前記電子部品配設領域と前記コネクタ配設領域とを区分するように前記上側板部から前記制御基板側に延設された仕切り部と、前記コネクタ配設領域の基板面を覆うカバー部と、該カバー部の前記複数のコネクタと対応する位置に、コネクタの外形にほぼ合致する形状に形成された複数の挿通口と、を備え、前記基板ボックスは、前記制御基板の前記複数のコネクタを、前記複数の挿通口を介して前記カバー部より外側に突出させるようにするものであり、前記制御基板は、該制御基板に配設された前記複数のコネクタの端側のコネクタである第１コネクタと、該第１コネクタの隣に配設された第２コネクタと、を備え、前記基板ボックスは、前記第１コネクタを基準とした場合に、該第１コネクタから前記第２コネクタに向かう方向と反対の方向に、壁部を備えるので、基板ボックスを開放しなくても中継ケーブルの着脱が行えるという効果がある。
【手続補正９】
【補正対象書類名】明細書
【補正対象項目名】００１９
【補正方法】変更
【補正の内容】
【００１９】
Ｐ    …パチンコ機（遊技機）
１０  …遊技機用基盤ボックス（基板ボックス）
１１  …ボックスベース（第１部材）
１１ｂ…リブ
１１ｃ…取付片（第１はめ合わせ部）
１２  …ボックスカバー（第２部材）
１２ａ…上側板（上側板部）
１２ｂ…周側板（周側部の一部、仕切り用周側部）
１２ｃ〜１２ｅ…周側板（周側部の一部）
１２ｆ…凹欠部（第２はめ合わせ部）
４    …制御基盤（制御基板）
４ａ  …プリント基板
４ｂ  …コネクター
５    …段部
５ａ  …挿通口
５ｃ  …カバー部材（カバー部）
【手続補正１０】
【補正対象書類名】特許請求の範囲
【補正対象項目名】全文
【補正方法】変更
【補正の内容】
【特許請求の範囲】
【請求項１】
基板ボックスの構成部材の一部である第１部材と、該第１部材と係合して前記基板ボックスを構成する第２部材と、前記基板ボックス内に収容される略長方形の制御基板と、を備えた遊技機において、
前記制御基板は少なくとも、該制御基板上に複数の電子部品を配設した電子部品配設領域と、前記制御基板の長辺側に複数のコネクタを並べて配設したコネクタ配設領域と、を備え、
前記第２部材は、前記基板ボックスによって前記制御基板全体を収容した際に前記電子部品配設領域と対向する上側板部と、該上側板部から前記第１部材側に延設される周側部と、第２はめ合せ部と、を備え、
前記第１部材は、前記第２はめ合せ部に対応する第１はめ合せ部と、前記コネクタ配設領域が形成される前記制御基板の長辺側に対応して設けられるリブと、を備え、
前記基板ボックスは、前記第２部材の前記第２はめ合せ部と、前記第１部材の前記第１はめ合せ部と、をはめ合わせた後に、前記制御基板全体を収容した状態で前記第２部材と前記第１部材とを封印するものであり、
前記第２部材の周側部のうち前記コネクタ配設領域に対応した周側部を仕切り用周側部とし、
該仕切り用周側部は、
前記基板ボックスに前記制御基板全体を収容した際に前記電子部品配設領域と前記コネクタ配設領域とを区分するように前記上側板部から前記制御基板側に延設された仕切り部と、
前記コネクタ配設領域の基板面を覆うカバー部と、
該カバー部の前記複数のコネクタと対応する位置に、コネクタの外形にほぼ合致する形状に形成された複数の挿通口と、を備え、
前記基板ボックスは、前記制御基板の前記複数のコネクタを、前記複数の挿通口を介して前記カバー部より外側に突出させるようにするものであり、
前記制御基板は、該制御基板に配設された前記複数のコネクタの端側のコネクタである第１コネクタと、該第１コネクタの隣に配設された第２コネクタと、を備え、
前記基板ボックスは、前記第１コネクタを基準とした場合に、該第１コネクタから前記第２コネクタに向かう方向と反対の方向に、壁部を備えたことを特徴とする遊技機。
【請求項２】
前記壁部は、並んで配設された複数のコネクタの少なくとも片側の端側に設けられていることを特徴とする請求項１に記載の遊技機。
【請求項３】
前記壁部は、並んで配設された複数のコネクタの両側の端側に設けられていることを特徴とする請求項１に記載の遊技機。